(57)【特許請求の範囲】
【請求項１】
被写界から入射する光を複数の色成分毎に分割して測光する測光部と、
前記測光部によって繰返し測光された測光値に基づいて、前記被写界の実測した色情報を繰返し演算する色情報演算部と、
を含む測色計内蔵カメラにおいて、
任意の色情報を設定する色情報設定部と、
前記色情報演算部により繰返し実測した色情報が前記色情報設定部による設定値に一致するに至ったか否かを判定する判定部と、
を備えたことを特徴とする測色計内蔵カメラ。
【請求項２】
請求項１に記載された測色計内蔵カメラにおいて、
前記色情報設定部に設定値を入力する設定値入力部を備えたことを特徴とする測色計内蔵カメラ。
【請求項３】
請求項１又は請求項２に記載された測色計内蔵カメラにおいて、
シャッタレリーズ動作を行うレリーズ部と、
前記判定部が一致を判定したときに、前記レリーズ部にレリーズ動作を開始させる撮影制御部とを備えたことを特徴とする測色計内蔵カメラ。
【請求項４】
請求項３に記載された測色計内蔵カメラにおいて、
前記測光部に測光動作を開始させる操作部材を備え、
前記撮影制御部は、前記操作部材によってシーケンスが開始されてから所定時間経過するまでに、前記判定部が一致を判定しない場合には、レリーズ動作を行わずに、シーケンスを終了させることを特徴とする測色計内蔵カメラ。
【請求項５】
請求項１から請求項４までのいずれか１項に記載された測色計内蔵カメラにおいて、
撮影者に警告を発生する警告部と、
前記判定部が一致を判定したときに、あるいは、一致に近づいた状態を判定したときに、
前記警告部に警告動作を実行させる警告制御部とを備えたことを特徴とする測色計内蔵カメラ。
【請求項６】
請求項５に記載の測色計内蔵カメラにおいて、
前記測光部に測光動作を開始させる操作部材を備え、
前記警告制御部は、前記操作部材によってシーケンスが開始されてから所定時間経過後に、前記判定部が一致を判定しない場合には、警告動作を行わずに、シーケンスを終了させることを特徴とする測色計内蔵カメラ。
【請求項７】
請求項１から請求項６までのいずれか１項に記載された測色計内蔵カメラにおいて、
前記測光部は、測光が開始されてから一定の周期で被写界の測光を行うことを特徴とする測色計内蔵カメラ。
【請求項８】
請求項３から請求項７までのいずれか１項に記載された測色計内蔵カメラにおいて、
前記レリーズ部がレリーズ動作を開始するまでに要する所要時間を設定する撮影時間設定部を備えたことを特徴とする測色計内蔵カメラ。
【請求項９】
請求項８に記載された測色計内蔵カメラにおいて、
前記撮影時間設定部は、セルフタイマであることを特徴とする測色計内蔵カメラ。
【請求項１０】
請求項８又は請求項９に記載された測色計内蔵カメラにおいて、
前記撮影制御部は、前記撮影時間設定部により設定された所要時間になったときに、前記判定部が一致を判定しない場合であっても、前記レリーズ部にレリーズ動作を開始させることを特徴とする測色計内蔵カメラ。
【請求項１１】
請求項８から請求項１０までのいずれか１項に記載された測色計内蔵カメラにおいて、
通常撮影を行う第１のモードと、前記色情報に基づく撮影を行う第２のモードとを選択する選択部を備えることを特徴とする測色計内蔵カメラ。
【請求項１２】
請求項１１に記載された測色計内蔵カメラにおいて、
前記選択部が第１のモードを選択したときに、前記所要時間を表示し、前記第２のモードを選択したときに、色情報を表示する表示部を備えたことを特徴とする測色計内蔵カメラ。
【請求項１３】
請求項１から請求項１２までのいずれか１項に記載された測色計内蔵カメラにおいて、
前記色情報演算部は、色温度、ライトバランシングファクタ及びカラーコンペンセイティングファクタの少なくとも１つの色情報を演算することを特徴とする測色計内蔵カメラ。
【請求項１４】
請求項１２又は請求項１３に記載された測色計内蔵カメラにおいて、
前記表示部は、ファインダ内又はカメラボディの外部において所定の表示を行うことを特徴とする測色計内蔵カメラ。
【請求項１５】
請求項１から請求項１４までのいずれか１項に記載された測色計内蔵カメラにおいて、
前記測光部は、前記被写界から入射する前記光を、レッド、グリーン及びブルー、又は、イエロー・マゼンタ及びシアンに分離して測光することを特徴とする測色計内蔵カメラ。
【発明の詳細な説明】
【０００１】
【発明の属する技術分野】
本発明は、撮影時に被写体の色情報を測定可能な測色計内蔵カメラに関するものである。
【０００２】
【従来の技術】
従来の撮影方法は、例えば、夕景のようなシーンでは、撮影者が意図するイメージの写真を撮るために、色温度などの色情報を人間の眼の判断に任せていたために、ある一定の基準の色温度で撮影を行おうとしても、実際に眼で見たときと、写真に撮影したものとでは、大幅な誤差を生じていた。
そのため、撮影者は、意図する色再現を求めるために、やみくもに必要以上の枚数の写真を撮らなければならない、という問題があった。
【０００３】
そこで、撮影者が意図するカラーバランスで被写体を撮影するために、入射する光の色温度などの色情報を測光する測色計が用いられていた。
【０００４】
【発明が解決しようとする課題】
しかし、前述した測色計を用いる場合には、常に、色温度を測っていなければ、被写体を適切なカラーバランスで撮影することはできず、かえって、シャッタチャンスを逃す可能性があった。
【０００５】
本発明は、あらかじめ撮影者が意図する色情報に基づいて、撮影を行うことができる測色計内蔵カメラを提供することを課題とする。
【０００６】
【課題を解決するための手段】
前記課題を解決するために、請求項１の発明は、被写界から入射する光を複数の色成分毎に分割して測光する測光部と、前記測光部によって繰返し測光された測光値に基づいて、前記被写界の実測した色情報を繰返し演算する色情報演算部と、を含む測色計内蔵カメラにおいて、任意の色情報を設定する色情報設定部と、前記色情報演算部により繰返し実測した色情報が前記色情報設定部による設定値に一致するに至ったか否かを判定する判定部と、を備えたことを特徴とする測色計内蔵カメラである。
【０００７】
請求項２の発明は、請求項１に記載された測色計内蔵カメラにおいて、前記色情報設定部に設定値を入力する設定値入力部を備えたことを特徴とする測色計内蔵カメラである。
【０００８】
請求項３の発明は、請求項１又は請求項２に記載された測色計内蔵カメラにおいて、シャッタレリーズ動作を行うレリーズ部と、前記判定部が一致を判定したときに、前記レリーズ部にレリーズ動作を開始させる撮影制御部とを備えたことを特徴とする測色計内蔵カメラである。
【０００９】
請求項４の発明は、請求項３に記載された測色計内蔵カメラにおいて、前記測光部に測光動作を開始させる操作部材を備え、前記撮影制御部は、前記操作部材によってシーケンスが開始されてから所定時間経過するまでに、前記判定部が一致を判定しない場合には、レリーズ動作を行わずに、シーケンスを終了させることを特徴とする測色計内蔵カメラである。
【００１０】
請求項５の発明は、請求項１から請求項４までのいずれか１項にに記載された測色計内蔵カメラにおいて、撮影者に警告を発生する警告部と、前記判定部が一致を判定したときに、あるいは、一致に近づいた状態を判定したときに、前記警告部に警告動作を実行させる警告制御部とを備えたことを特徴とする測色計内蔵カメラである。
【００１１】
請求項６の発明は、請求項５に記載の測色計内蔵カメラにおいて、前記測光部に測光動作を開始させる操作部材を備え、前記警告制御部は、前記操作部材によってシーケンスが開始されてから所定時間経過後に、前記判定部が一致を判定しない場合には、警告動作を行わずに、シーケンスを終了させることを特徴とする測色計内蔵カメラである。
【００１２】
請求項７の発明は、請求項１から請求項６までのいずれか１項に記載された測色計内蔵カメラにおいて、前記測光部は、測光が開始されてから一定の周期で被写界の測光を行うことを特徴とする測色計内蔵カメラである。
【００１３】
請求項８の発明は、請求項３から請求項７までのいずれか１項に記載された測色計内蔵カメラにおいて、前記レリーズ部がレリーズ動作を開始するまでに要する所要時間を設定する撮影時間設定部を備えたことを特徴とする測色計内蔵カメラである。
【００１４】
請求項９の発明は、請求項８に記載された測色計内蔵カメラにおいて、前記撮影時間設定部は、セルフタイマであることを特徴とする測色計内蔵カメラである。
【００１５】
請求項１０の発明は、請求項８又は請求項９に記載された測色計内蔵カメラにおいて、前記撮影制御部は、前記撮影時間設定部により設定された所要時間になったときに、前記判定部が一致を判定しない場合であっても、前記レリーズ部にレリーズ動作を開始させることを特徴とする測色計内蔵カメラである。
【００１６】
請求項１１の発明は、請求項８から請求項１０までのいずれか１項に記載された測色計内蔵カメラにおいて、通常撮影を行う第１のモードと、前記色情報に基づく撮影を行う第２のモードとを選択する選択部を備えることを特徴とする測色計内蔵カメラである。
【００１７】
請求項１２の発明は、請求項１１に記載された測色計内蔵カメラにおいて、前記選択部が第１のモードを選択したときに、前記所要時間を表示し、前記第２のモードを選択したときに、色情報を表示する表示部を備えたことを特徴とする測色計内蔵カメラである。
【００１８】
請求項１３の発明は、請求項１から請求項１２までのいずれか１項に記載された測色計内蔵カメラにおいて、前記色情報演算部は、色温度、ライトバランシングファクタ及びカラーコンペンセイティングファクタの少なくとも１つの色情報を演算することを特徴とする測色計内蔵カメラである。
【００１９】
請求項１４の発明は、請求項１２又は請求項１３に記載された測色計内蔵カメラにおいて、前記表示部は、ファインダ内又はカメラボディの外部において所定の表示を行うことを特徴とする測色計内蔵カメラである。
【００２０】
請求項１５の発明は、請求項１から請求項１４までのいずれか１項に記載された測色計内蔵カメラにおいて、前記測光部は、前記被写界から入射する前記光を、レッド、グリーン及びブルー、又は、イエロー、マゼンタ及びシアンに分離して測光することを特徴とする測色計内蔵カメラである。
【００２１】
【発明の実施の形態】
以下、図面などを参照して、実施形態をあげて、本発明を詳細に説明する。
図１は、本発明による測色計内蔵カメラの実施形態を示す図である。
この実施形態のカメラは、被写界の光を入射する撮影レンズ１と、この入射された光を上方に反射させる反射ミラー２と、この反射された光を結像するフォーカシングスクリーン３と、フォーカシングスクリーン３で結像した像を反射するペンタプリズム４と、その反射した像を観察者眼に導く接眼レンズ５と、ファインダ接眼部２０などとが備えられており、ファインダ接眼部２０を観察することによって、フォーカシングスクリーン３に結像した被写体を確認することができる。
【００２２】
また、測光レンズ６は、ペンタプリズム４から出てきた光を、測光素子７に入射させるレンズである。測光素子７は、この光を赤（ＲＥＤ）、緑（ＧＲＥＥＮ）及び青（ＢＬＵＥ）の各色成分毎に測光し、この各色成分毎の測光出力は、ＣＰＵ８に入力されている。
【００２３】
ＣＰＵ８は、測光素子７から入力された測光出力を用いて、被写体を適切なカラーバランスで撮影するために用いられる被写体の色情報、具体的には、色温度、ライトバランシングファクタ（ＬＢ値）及びカラーコンペンセイティングファクタ（ＣＣ値）を演算する手段である。
また、ＣＰＵ８は、通常のカメラ機能、例えば、測光素子７から入力された測光出力を用いて、適正露出値としてのシャッタ速度及び絞り値を演算し、その値を表示する命令や警報を発生する命令、シャッタ装置や絞り装置を駆動する命令を生成する。さらに、ＣＰＵ８は、レリーズボタン１２からの半押し、全押し信号により、前述した露出制御や、撮影レンズ１をＡＦ駆動するレンズ駆動装置などの制御をする。
【００２４】
表示装置９は、ＣＰＵ８において演算された色情報を含むパラメータを表示する装置であり、フォーカシングスクリーン３の像の下部に見える位置に配置されており、ファインダ接眼部２０を介して観察することができる。従って、撮影者は、ファインダを観察することによって、被写界とともに、表示装置９に表示されるパラメータを確認することができる。
【００２５】
セレクトダイヤル１０は、通常のセルフタイマ撮影か、測色情報に基づく撮影かを選択するダイヤルであって、撮影セルフタイマ設定時に、表示装置９にパラメータを表示する表示モードを選択するダイヤルであって、撮影回数、所要時間などを表示する第１のモード（ＴＩＭＥ）と、色温度、ＬＢ値、ＣＣ値などを表示する第２のモード（ＣＭ）とに切り換えることができる。
このセレクトダイヤル１０は、図１においては、カメラボディ３０の内部に示されているが、実際には、カメラボディ３０の外部に配置されている。
【００２６】
レリーズボタン１２は、半押し状態によって、撮影準備動作を開始し、全押し状態によって、露出制御動作を開始するためのボタンである。
コマンドダイヤル１３は、各種撮影条件の設定を行うダイヤルであって、この実施形態では、セルフタイマの時間の設定、色温度、ＬＢ値、ＣＣ値などの値の設定等を行う。
【００２７】
外部表示装置１４は、カメラボディ３０の外部に設けられた表示装置であり、ファインダ内の表示装置９に表示されるものの一部や、コマンドダイヤル１３の設定時などに、設定内容などを表示することができる。
ＬＥＤ１５は、セルフタイマによるレリーズオンや、色情報が設定値になったことを知らせる警報装置である。
【００２８】
図２は、本実施形態に係る測色計内蔵カメラのフォーカシングスクリーンを示す図である。
このフォーカシングスクリーン３は、図１に示した反射ミラー２によって反射された被写体の光が結像する部材である。本実施形態の場合には、図１の測光素子７で測光される範囲は、フォーカシングスクリーン３における中央の領域３１の内部である。
【００２９】
図３は、本実施形態に係る測色計内蔵カメラの測光素子を示す図である。
この測光素子７は、ストライプフィルタを用いたワンチップ型のカラーセンサで構成されており、本実施形態においては、９分割した短冊形の光センサの前面に色フィルタが取り付けられている。
この測光素子７は、光センサ７１Ｒ，７２Ｒ，７３ＲにＲ（赤）のフィルタが、光センサ７１Ｇ，７２Ｇ，７３ＧにＧ（緑）の色フィルタが、光センサ７１Ｂ，７２Ｂ，７３ＢにＢ（青）の色フィルタがそれぞれ取り付けられている。
従って、光センサ７１Ｒ〜７３Ｒは、Ｒ（赤）成分の測光出力を、光センサ７１Ｇ〜７３Ｇは、Ｇ（緑）成分の測光出力を、光センサ７１Ｂ〜７３Ｂは、Ｂ（青）成分の測光出力を、それぞれ得ることができる。これらの色成分毎の測光出力は、それぞれ加算され、Ｒ成分のセンサデータＤR 、Ｇ成分のセンサデータＤG 、Ｂ成分のセンサデータＤB として、ＣＰＵ８に送られる。
【００３０】
なお、本実施形態の測光素子７は、説明の便宜のために、９分割された短冊形の光センサの例で説明するが、実際には、入射した光の各色成分の情報を取り込むために、非常に多数に分割されており、さらに、ある程度ピントがぼける位置に設置されている。それによって、短冊形の各光センサには、それぞれ均一に光が当たるようになっている。
【００３１】
次に、本実施形態に係る測色計内蔵カメラの動作を説明する。
被写界の光は、図１に示すように、撮影レンズ１を介して、カメラ内部に入射される。この入射された光は、反射ミラー２によって反射され、フォーカシングスクリーン３において結像される。この結像された光は、さらにペンタプリズム４において２回反射され、接眼レンズ５で像を結ぶ。撮影者は、この像をファインダ接眼部２０から観察することによって被写界を確認することができる。
また、ペンタプリズム４から出た光は、測光レンズ６によって測光素子７に入射される。測光素子７によって測定された測光値は、ＣＰＵ８に入力され、以下に示すような制御が行なわれる。
【００３２】
図４は、本実施形態に係る測色計内蔵カメラの動作を示すメインフローチャートである。
図４の処理は、カメラのメインスイッチ（電源スイッチ，不図示）がオンされた後にスタートする。
ＣＰＵ８は、Ｓ１０１において、セレクトダイヤル１０により選択される表示モード、コマンドダイヤル１３等により設定されるセルフタイマの設定時間や、色情報（ＬＢ値，色温度，ＣＣ値等）の設定値などを入力する。そして、Ｓ１０２において、レリーズボタン１２が全押しされたか否かを判定し、肯定の場合には、Ｓ１０３へ進み、否定の場合には、Ｓ１０１に戻る。
【００３３】
ＣＰＵ８は、Ｓ１０３において、測光素子７から測光値を入力する（第１の測光）。そして、ステップＳ１０４において、撮影者が選択したセレクトダイヤル１０のモードが第１のモード（ＴＩＭＥ）であるか否かを判定し、第１のモード（ＴＩＭＥ）であると判定した場合には、Ｓ１０５へ進む。
【００３４】
次に、ＣＰＵ８は、ステップＳ１０５において、被写界の適正露出値としてのシャッタ速度及び絞り値を演算する。ステップＳ１０６において、設定された所要時間の計時タイマを開始し、ステップ１０７において、計時が完了されたか否かを判定する。計時完了を判定した場合には、ステップ１０８において、ＬＥＤランプ１５を点滅して警告を開始する。
ついで、ＣＰＵ８は、ステップＳ１０９において、セルフタイマ動作によるレリーズをオンし、そして、ステップＳ１１０において、ＬＥＤランプ１５の点滅を終了する。
【００３５】
一方、ＣＰＵ８は、ステップＳ１０４において、撮影者が選択したセレクトダイヤル１０のモードが第１のモード（ＴＩＭＥ）でないと判定した場合、すなわち、第２のモード（ＣＭ）であると判定した場合には、ステップＳ１１１において、所定時間が経過したか否かを判定する。所定時間が経過したと判定した場合には、このルーチンを終了する。
【００３６】
また、ＣＰＵ８は、ステップＳ１１１において、所定時間が経過していないと判定した場合には、ステップＳ１１２に進み、一定の周期で測光を行う（第２の測光）。次に、ステップＳ１１３において、被写界の適正露出値としてのシャッタ速度及び絞り値を演算する。
【００３７】
ここで、ＣＰＵ８は、ステップＳ１１４において、その詳細を図５及び図６に示す測色処理（その説明は、後述する）のサブルーチンをコールする。
【００３８】
さらに、ＣＰＵ８は、ステップＳ１１５において、測色処理の結果が、Ｓ１０１で設定された色情報と一致するか否かを判定し、一致すると判定した場合には、ステップＳ１１６において、ＬＥＤランプ１５を点滅して警告を開始し、ステップＳ１１７において、セルフタイマ動作によるレリーズをオンし、そして、ステップ１１８において、ＬＥＤランプ１５の点滅を終了して、すべての動作を終了する。
なお、ステップＳ１１５において、「一致を判定」した例で説明したが、「一致に近づいた状態を判定」するようにしてもよい。例えば、色情報の設定値が３２００Ｋであったときに、３０００Ｋで警告を開始する。このように、警告開始条件にある程度の幅を持たせておけば、撮影者が慌てなくて済むからである。
【００３９】
図５は、図４に示したステップＳ１１４の測色処理のうち、ＣＰＵ８が被写体の色情報のうち、ＬＢ値及び色温度を演算するサブルーチンを示すフローチャートである。
ＣＰＵ８は、ステップＳ１１において、測光素子７からのＢ成分のセンサデータＤB 、Ｇ成分のセンサデータＤG 及びＲ成分のセンサデータＤR を読み取り、ステップＳ１２において、ＤB とＤG の比であるＤＢＧ（＝ＤB ／ＤG ）を算出する。また、ステップＳ１３において、ＤR とＤG の比であるＤＲＧ（＝ＤR ／ＤG ）を算出する。
【００４０】
次に、ステップＳ１４において、２つの定数ＫＬＢ１，ＫＬＢ２を用いて、ＬＢ値ＬＢ［ミレッド］を、次式（１）によって計算する。
【００４１】
ＬＢ＝ＫＬＢ１×ＤＢＧ＋ＫＬＢ２×ＤＲＧ    …（１）
【００４２】
さらに、ステップＳ１５において、計算したＬＢ値ＬＢに基づいて、テーブルを参照しながら、色温度Ｔ［ケルビン］を求めて、リターンする。
【００４３】
図６は、図４に示したステップＳ１１４の測色処理のうち、ＣＰＵ８が被写体の色情報のうちＣＣ値を演算するサブルーチンを示すフローチャートである。
ＣＰＵ８は、ステップ２１において、測光素子７からのＢ成分のセンサデータＤB 、Ｇ成分のセンサデータＤG 及びＲ成分のセンサデータＤR を読み取り、ステップＳ２２において、ＤB とＤG の比であるＤＢＧ（＝ＤB ／ＤG ）を算出する。また、ステップＳ２３において、ＤR とＤG の比であるＤＲＧ（＝ＤR ／ＤG ）を算出する。
【００４４】
次に、ステップＳ２４において、２つの定数ＫＣＣ１，ＫＣＣ２を用いて、ＣＣ値ＣＣを、次式（２）によって計算して、リターンする。
【００４５】
ＣＣ＝ＫＣＣ１×ＤＢＧ＋ＫＣＣ２×ＤＲＧ    …（２）
【００４６】
なお、通常は、Ｒ，Ｇ，Ｂをある適当な比率で測光に用いるが、本実施形態では、測色計モードにしたときに、上記の演算を行う。
また、図４のフローチャートに示すように、図５及び図６に示す動作は、セレクトダイヤル１０によって、第２モードに切り換えられている場合にのみ行われる。
【００４７】
図７（ａ）、（ｂ）は、セレクトダイヤル１０を第１又は第２のモードに切り換えたときの、表示装置９の表示状態を示す図である。
図７（ａ）は、セレクトダイヤル１０が第１のモード（ＴＩＭＥ）に選択されているときの表示例であり、表示部９１ａには撮影回数（２Ｆ）が、表示部９１ｂには設定された所要時間（５″）が、それぞれ表示されている。
【００４８】
図７（ｂ）は、第２のモード（ＣＭ）に選択されたときの表示例であり、表示部９２ａには色温度（Ｔ［Ｋ］）が、表示部９２ｂにはＬＢ値（ＬＢ［Ｄ］）が、さらに、表示部９２ｃにはＣＣ値（ＣＣ）が、それぞれ表示されている。
【００４９】
以上説明したように、本実施形態によれば、撮影したい条件の色情報を設定し（Ｓ１０１）、セルフタイマ撮影を利用して、撮影者の意図とするカラーバランスになった場合に（Ｓ１１５）、警告を促すと共に（Ｓ１１６）、自動的にレリーズがオンされるようにした（Ｓ１１７）。このような測色計機能を使用することにより、撮影者は、自分の意図するイメージに、より近いシーンを簡単に撮影することができる、という効果がある。
【００５０】
以上説明した実施形態に限定されることはなく、種々の変形や変更が可能であって、それらも本発明の均等の範囲に含まれる。
例えば、この実施形態では、視覚的なＬＥＤランプ１５の点滅によって警告を行っているが、スピーカなどを設けて、聴覚的に警告を行ってもよい。また、色情報の設定を色温度Ｔ、ＬＢ値ＬＢ、ＣＣ値ＣＣの全てについて同時に設定するようにしたが、少なくとも一つのみについて設定を行うようにしてもよい。
【００５１】
表示装置９は、ファインダ内で観察できる位置ではなく、カメラボディ３０の外部に設けられた外部表示装置１４（図１参照）に配置することも可能である。また、測光素子は、赤，緑及び青色に入射光を分離する例で説明したが、それらの補色であるイエロー，マゼンタ及びシアンに分離するようにしてもよい。
【００５２】
なお、レリーズボタン１２の全押しによってセルフタイマを利用して、所定時間の経過を測定したが、この撮影の専用の撮影時限タイマ（不図示）を起動するようにしてもよい。
また、図４において、Ｓ１１１のあとに、動作を終了させずに、Ｓ１１６，Ｓ１１７，Ｓ１１８を行ったのちに、動作を終了させるようにしてもよい。すなわち、所定時間が経過してしまったときには、レリーズするようにしてもよい。
【００５３】
色情報の設定は、コマンドダイヤル１３などから直接数値を設定してもよいし、夕景シーンなどのシーン撮影モードを選択したときに、自動的に設定するようにしてもよい。
【００５４】
さらに、色情報（Ｔ，ＬＢ値，ＣＣ値）の設定は、小刻み（例えば、１０Ｋ毎、１００Ｋ毎など）に設定してもよいが、ある程度の幅（例えば、５５００Ｋ〜６０００Ｋなど）を持たせることができる。なぜならば、例えば、夕景自然光は、序々に色温度が変わることもあれば、急に大きく変化することもあり、色情報の設定に、ある程度の幅を持たせた方が、急激な色温度の変化に対応でき、撮影上機転を効かせることができるからである。
【００５５】
なお、色情報に関して述べるならば、設定するパラーメータの中でも、特に、色温度の場合は、数値の差が単なる数値上の差でしかなく、実際の色合いの差にはなっていないことがある。例えば、５５００Ｋと６０００Ｋの差は５００Ｋであるが、実際に撮影してみると色の違いはあまり大きく出ない（フィルタ２枚分）。しかし、同じ５００Ｋの差であっても、３２００Ｋと３７００Ｋとでは、大きな色の違いになって表れてしまう（フィルタ４枚分）。そこで、このような不都合をなくすために、色温度の差をＬＢ値（単位：ミレッド）に置き換える方法がとられる。従って、色情報として設定する値は、ＬＢ値が好ましい。ただし、その設定値は、もちろんＴ（Ｋ），ＣＣ値でもよい。
【００５６】
【発明の効果】
以上詳しく説明したように、本発明によれば、撮影したい条件の色情報を設定して、その設定になった場合には、撮影をするか又は警告を促すようにしたので、撮影者の意図とする色情報の写真が簡単に撮影できる、という効果がある。
【図面の簡単な説明】
【図１】本発明による測色計内蔵カメラの実施形態を示す図である。
【図２】図１のフォーカシングスクリーン３上の測色範囲の例を示す図である。
【図３】図１の測光素子７の構成例を示す図である。
【図４】図１の実施形態の動作を説明するフローチャートである。
【図５】図４のステップＳ１１４の測色処理のうち、色温度及びＬＢ値を演算するサブルーチンを示すフローチャートである。
【図６】図４のステップＳ１１４の測色処理のうち、ＣＣ値を演算するサブルーチンを示すフローチャートである。
【図７】図１の表示装置の表示例を示す図である。
【符号の説明】
１  撮影レンズ
２  反射ミラー
３  フォーカシングスクリーン
３１  測色範囲
４  ペンタプリズム
５  接眼レンズ
６  測光レンズ
７  測光素子
７１Ｒ〜７３Ｒ，７１Ｇ〜７３Ｇ，７１Ｂ〜７３Ｂ  光センサ
８  ＣＰＵ
９  表示装置
１０  選択ダイヤル
１１  フィルム
１２  レリーズボタン
１３  コマンドダイヤル
１４  外部表示装置
１５  ＬＥＤ
２０  ファインダ接眼部
【図１】
0003940805.tif 000002
【図２】
0003940805.tif 000003
【図３】
0003940805.tif 000004
【図４】
0003940805.tif 000005
【図５】
0003940805.tif 000006
【図６】
0003940805.tif 000007
【図７】
0003940805.tif 000008